(57)【要約】      （修正有）【課題】音の増幅と音質向上とを可能とする簡易な携帯端末用スタンドを提供する。【解決手段】略ホーン形状の外筒内に沿った内筒を備え、内筒及び外筒間に空間部４１を有した内外の二重壁構造とし、外筒に設けられ携帯端末２５を差し込むための差込口７と、内筒側に設けられ差込口に差し込まれた携帯端末のスピーカー部を内筒内に露出させる露出口９とを備え、露出口から携帯端末のスピーカー部が内筒内に露出し、スピーカー部からの発音がホーン形状の内筒内で増幅されながら開口部から放出される。外筒及び内筒による二重壁構造により全体の剛性を向上させ、音質を向上させることができる。【選択図】図３
0003187549.tif 000002
【実用新案登録請求の範囲】
【請求項１】
略ホーン形状の外筒内に内壁を備え、内壁及び外筒間に閉断面構造の空間部を有した内外の二重壁構造とし、
前記外筒に設けられ携帯端末を差し込むための差込口と、
前記内壁側に設けられ前記差込口に差し込まれた携帯端末のスピーカー部を内壁内に露出させる露出口と、
を備えたことを特徴とする携帯端末用スタンド。
【請求項２】
請求項１記載の携帯端末用スタンドムであって、
前記内壁は、前記外筒内に設けられたホーン形状の内筒で構成された、
ことを特徴とする携帯端末用スタンド。
【請求項３】
請求項１記載の携帯端末用スタンドであって、
前記二重壁構造は、所定形状にカットされた一枚の厚紙を折り曲げて形成した、
ことを特徴とする携帯端末用スタンド。
【考案の詳細な説明】
【技術分野】
【０００１】
本考案は、簡易なスピーカーとしても機能する携帯端末用スタンドに関する。
【背景技術】
【０００２】
従来の携帯端末用スタンドとして、特許文献1に記載のものがある。この携帯端末用スタンドは、展開時、略四角形状かつ平面の厚紙を折り曲げて形成したものであり、机上から浮いた状態で携帯端末を角度調整可能に載置することができる。
しかし、携帯端末から発せられる音を増幅する機能は備えておらず、携帯端末を立てたまま音楽等を聞くときに音質にも限界があった。
【先行技術文献】
【特許文献】
【０００３】
【特許文献１】特開平１０−２７５９８６号公報
【考案の開示】
【考案が解決しようとする課題】
【０００４】
解決しようとする問題点は、携帯端末を立てたまま音楽等を聞くときに音を増幅できず、音質にも限界があった点である。
【課題を解決するための手段】
【０００５】
本考案は、簡易な構造で音の増幅と音質向上とを可能とするため、略ホーン形状の外筒内に内壁を備え、内壁及び外筒間に閉断面構造の空間部を有した内外の二重壁構造とし、前記外筒に設けられ携帯端末を差し込むための差込口と、前記内壁側に設けられ前記差込口に差し込まれた携帯端末のスピーカー部を内壁内に露出させる露出口とを備えたことを特徴とする。
【考案の効果】
【０００６】
本考案は、上記構成としたため、携帯端末を差込口に差し込んで支持させると、露出口から携帯端末のスピーカー部が内壁内に露出し、内壁内から略ホーン形状の外筒に沿って放出され、携帯端末の音を増幅することができる。
【０００７】
しかも、外筒及び内壁間に閉断面構造の空間部を有した内外の二重壁構造により全体の剛性を向上させ、音質を簡易に向上させることができる。
【図面の簡単な説明】
【０００８】
【図１】携帯端末用スタンドに携帯端末を差し込んだ外観斜視図である。（実施例１）
【図２】携帯端末用スタンドの平面図である。（実施例１）
【図３】携帯端末用スタンドの縦断面図である。（実施例１）
【図４】携帯端末用スタンドの横断面図である。（実施例１）
【図５】携帯端末用スタンドに携帯端末を差し込んだ外観斜視図である。（実施例２）
【図６】携帯端末用スタンドの縦断面図である。（実施例２）
【図７】携帯端末用スタンドの横断面図である。（実施例２）
【図８】携帯端末用スタンドの組み立てを示し、（Ａ）は、展開状態、（Ｂ）は、内底壁折り返し、内上壁折り返し、及び凹部折り曲げ形成状態、（Ｃ）は、最後に内側壁の折り込み状態の説明図である。（実施例２）
【図９】携帯端末用スタンドの縦断面図である。（実施例３）
【図１０】携帯端末用スタンドの上部側の横断面図である。（実施例３）
【図１１】携帯端末用スタンドの上部側の横断面図である。（実施例３）
【図１２】展開状態の厚紙を示し、（Ａ）は、凹部用の厚紙、（Ｂ）は、本体用の厚紙である。（実施例３）
【図１３】凹部の形成を示す要部拡大斜視図である。（実施例３）
【図１４】携帯端末用スタンドの組み立てを示し、（Ａ）は、凹部（露出口）を形成した展開状態、（Ｂ）は、内底壁折り返し、内後壁折り返し状態、（Ｃ）は、内側壁の折り込み状態、（Ｄ）は、内上壁の折り返しの説明図である。（実施例３）
【考案を実施するための形態】
【０００９】
音の増幅と音質向上とを可能にするという目的を、略ホーン形状の外筒内に内壁を備え、内壁及び外筒間に閉断面構造の空間部を有した内外の二重壁構造とし、前記外筒に設けられ携帯端末を差し込むための差込口と、前記内壁側に設けられ前記差込口に差し込まれた携帯端末のスピーカー部を内壁内に露出させる露出口とを備えたことにより実現した。
【実施例１】
【００１０】
図１は、携帯端末用スタンドに携帯端末を差し込んだ外観斜視図、図２は、携帯端末用スタンドの平面図、図３は、携帯端末用スタンドの縦断面図、図４は、携帯端末用スタンドの横断面図である。なお、以下の説明において、前、後とは、ホーン形状の断面が拡大した側を前とする前、後を意味し、上下とは、携帯端末の立設支持方向の上下を意味する。
【００１１】
図１〜図４のように、携帯端末用スタンド１は、ホーン形状の外筒３内に沿った内壁を構成するホーン形状の内筒５を備え、内外筒５、３間に後述する空間部を有した内外の二重壁構造とし、差込口７及び露出口９を備えている。
【００１２】
外筒３は、上下左右共に断面積が漸次拡大し、開口断面が略矩形で全体が略ホーン形状に形成されている。この外筒３は、底壁１１、上壁１３、側壁１５、１７、後壁１９を備え、前端が開口部２１となっている。
【００１３】
外筒３の上壁１３には、差込口７が形成されている。差込口７は、スマート・フォン等の携帯端末２５を差し込むためのものであり、略矩形に形成され、開口部２１と平行に配置されている。
【００１４】
内筒５は、外筒３内に沿って備えられ、上下左右共に断面積が漸次拡大し、開口断面が略矩形で全体が略ホーン形状に形成されている。この内筒５は、内底壁２７、内上壁２９、内側壁３１、３３、内後壁３５を備え、前端が内開口部３７となっている。内開口部３７は、外筒３の開口部２１の内周に接合され、内後壁３５は、外筒３の後壁１９に接合されている。
外筒３の上壁１３、側壁１５、１７と内筒５の内上壁２９、内側壁３１、３３との各間には、空間部４１、４３、４５が形成され、これらの空間部４１、４３、４５は、閉断面構造を呈し、開口部２１及び内開口部３７方向から見た断面内において相互に周回状に連続している。
内筒５側の内上壁２９には、前記露出口９が設けられている。露出口９は、差込口７に差し込まれた携帯端末２５のスピーカー部を内筒５内に露出させるものである。携帯端末２５のスピーカー部は、携帯端末２５の底部２５ａの左右側に一対備えられ、このスピーカー部が露出口９に露出し、内筒５内へ臨む形態となる。
露出口９の左右両側９ａ、９ｂは、携帯端末２５の下部両側を載置させ、露出口９の前縁９ｃは、左右方向の中央部が上方へ突出するように湾曲形成されている。この前縁９ｃが携帯端末２５の下部前面に前方から係合し、差込口７の後縁７ａとの協働により携帯端末２５の後方への倒れを防止している。
携帯端末用スタンド１の製造は、外筒３及び内筒５を別々に形成し、外筒３の開口部２１から内筒５を差し込み、接着や圧入などにより結合する。
携帯端末用スタンド１に対し、携帯端末２５を差込口７に着脱自在に差し込み、図１、図３のように傾斜状体で簡単に立設支持させることができる。
この立設支持で、携帯端末２５のスピーカー部が露出口９に露出し、スピーカー部からの発音を略ホーン形状の内筒５の内底壁２７、内上壁２９、内側壁３１、３３により内開口部３７に向けて増幅させ、内開口部３７から発することができる。
携帯端末用スタンド１に立設支持させた携帯端末２５を操作し、音楽用端末としては勿論、ハンズフリーの電話等としての利用にも供することができる。
携帯端末用スタンド１は、内外筒５、３間に空間部を形成した閉断面構造により全体の剛性向上を図り、内筒５内に向けて発せられた音を内筒５により効率良く増幅させ、且つ反響等により簡単な構造でありながら、音質向上も図ることができる。
【実施例２】
【００１５】
図５〜図８は、本考案の実施例２に係り、図５は、携帯端末用スタンドに携帯端末を差し込んだ外観斜視図、図６は、携帯端末用スタンドの縦断面図、図７は、携帯端末用スタンドの横断面図、図８は、携帯端末用スタンドの組み立てを示し、（Ａ）は、展開状態、（Ｂ）は、内底壁折り返し、内上壁折り返し、及び凹部折り曲げ形成状態、（Ｃ）は、最後に内側壁の折り込み状態の説明図である。なお、実施例１と対応する構成部分には、同符号にＡを付して説明する。
【００１６】
本実施例に係る携帯端末用スタンド１Ａの二重壁構造は、所定形状にカットされた一枚の厚紙を折り曲げて形成した。
【００１７】
外筒３Ａは、上下左右共に断面積が漸次拡大し、開口断面が略台形で全体が略ホーン形状に形成されている。この外筒３Ａは、底壁１１Ａ、上壁１３Ａ、側壁１５Ａ、１７Ａ、後壁１９Ａを備え、前端が開口部２１Ａとなっている。後壁１９Ａは、上方前方へ傾斜形成されている。
【００１８】
外筒３Ａの上壁１３Ａには、実施例１同様に差込口７Ａが形成されている。差込口７Ａは、実施例１同様にスマート・フォン等の携帯端末２５を差し込むためのものであり、略矩形に形成され、開口部２１Ａと平行に配置されている。
【００１９】
本実施例の内筒５Ａは、外筒３Ａ内において差込口７Ａの前側に沿って備えられ、上下左右共に断面積が漸次拡大し、開口断面が略矩形で全体が略ホーン形状に形成されている。この内筒５Ａは、内底壁２７Ａ、内上壁２９Ａ、内側壁３１Ａ、３３Ａを備え、前端が開口部２１Ａでの折り返しにより外筒３Ａに連続している。内側壁３１Ａ、３３Ａは、開口断面において側壁１５Ａ、１７Ａよりもより大きく傾斜し、上部内側壁３２、３４が形成されている。上部内側壁３２、３４は、三角形状に形成され、側壁１５Ａ、１７Ａと後述する凹部５２とに各辺が接合されている。
外筒３Ａの底壁１１Ａ及び上壁１３Ａに対し内筒５Ａの内底壁２７Ａ及び内上壁２９Ａは、重ねて配置され、外筒３Ａの側壁１５Ａ、１７Ａと内筒５Ａの内側壁３１Ａ、３３Ａとの各間には、閉断面構造の空間部４３Ａ、４５Ａが形成されている。
内筒５側の内底壁２７Ａは、外筒３Ａの後壁１９Ａに至って二等辺三角形状に延長形成され、内底壁２７Ａから中間内側壁４９、５１が立ち上げ形成されている。中間内側壁４９、５１は、三角形状に形成され、側壁１５Ａ、１７Ａと後壁１９Ａとに各辺が接合され、中間内側壁４９、５１と側壁１５Ａ、１７Ａ及び後壁１９Ａとの間に空間部４３ＡＡ、４５ＡＡが形成されている。
露出口９Ａは、内上壁２９Ａに形成されている。内上壁２９Ａには、差込口７Ａに対応した位置に凹部５２が折り返しにより形成され、凹部５２の底部に露出口９Ａが形成されている。
携帯端末用スタンド１Ａの組み立ては、図８（Ａ）〜図８（Ｃ）の順に行う。
図８（Ａ）の展開状態においても、組み立て状態での各壁に応じた符号を示している。この展開状態において、結合のための結合代等を説明する。底壁１１Ａには、結合代５３、５５が形成され、結合代５３、５５に結合スリット５３ａ、５５ａが形成されている。側壁１５Ａ、１７Ａには、結合代５７、５９と差込片１５Ａａ、１７Ａａとが形成されている。内底壁２７Ａ両側には、結合スリット２７Ａａが形成され、内側壁３１Ａ、３３Ａには、差込片３１Ａａ、３３Ａａが形成されている。
図８（Ａ）の状態から矢印Ａ、Ｂ、Ｃのように、底壁１１Ａ上に内底壁２７Ａを折り返し、側壁１５Ａ、１７Ａを上壁１３Ａに対し立ち上げるように折り曲げ、内上壁２９Ａを上壁１３Ａ上に折り返し、図８（Ｂ）の状態とする。
図８（Ｂ）の状態から矢印Ｄのように後壁１９Ａを立ち上げ、上壁１３Ａ及び内上壁２９Ａを底壁１１Ａ及び内底壁２７Ａ上方に折り返す。このとき、差込片１５Ａａ、１７Ａａを結合代５３、５５の外側から結合スリット５３ａ、５５ａに差し込み結合させ、図８（Ｃ）の状態とする。
図８（Ｃ）の状態から矢印Ｅのように内側壁３１Ａ、３３Ａを開口部２１Ａ内に折り込み、図８（Ｄ）のように完成する。このとき、差込片３１Ａａ、３３Ａａを内底壁２７Ａ両側の結合スリット２７Ａａに差し込み結合させている。
この完成状態の携帯端末用スタンド１Ａに対し、携帯端末２５を差込口７Ａに着脱自在に差し込み、凹部５２により図５のように簡単に立設支持させることができる。
この立設支持で、携帯端末２５のスピーカー部が露出口９Ａに露出し、スピーカー部からの発音を、略ホーン形状の内筒５の内底壁２７Ａ、内上壁２９Ａ、内側壁３１Ａ、３３Ａにより開口部２１Ａに向けて増幅させ、開口部２１Ａから発することができる。
したがって、上記実施例と同様な作用効果を奏することができる。
また、本実施例では、凹部５２の前側に内筒５が形成され、内側壁３１Ａ、３３Ａと外側壁１５Ａ、１７Ａとの間、及びこの間から後壁１９Ａに至って中間内側壁４９、５１を連続形成しているため、反響が複雑となり、特有の音質を得ることができる。
【実施例３】
【００２０】
図９〜図１４は、本考案の実施例３に係り、図９は、携帯端末用スタンドの縦断面図、図１０、図１１は、携帯端末用スタンドの上部側の横断面図、図１２は、展開状態の厚紙を示し、（Ａ）は、凹部用の厚紙、（Ｂ）は、本体用の厚紙、図１３は、凹部の形成を示す要部拡大斜視図、図１４は、携帯端末用スタンドの組み立てを示し、（Ａ）は、凹部（露出口）を形成した展開状態、（Ｂ）は、内底壁折り返し、内後壁折り返し状態、（Ｃ）は、内側壁の折り込み状態、（Ｄ）は、内上壁の折り返しの説明図である。なお、実施例２と対応する構成部分には、同符号又は同符号のＡをＢに代えて付し、重複した説明は省略する。
【００２１】
本実施例に係る携帯端末用スタンド１Ｂの二重壁構造は、実施例２と同様に所定形状にカットされた厚紙を折り曲げて形成した。但し、本実施例では、凹部用の厚紙と本体用の厚紙とを別々に備えた。
【００２２】
本実施例の携帯端末用スタンド１Ｂでは、図９〜図１１のように、内上壁２９Ｂと上壁１３Ｂと凹部５２Ｂ前面とが三角形閉断面状に結合され、空間部６１が形成されている。内後壁３５Ｂは、一体に折り曲げられた第１、第２の内後壁３５Ｂａ、３５Ｂｂを備え、第１の内後壁３５Ｂａは、内底壁２７Ｂから立ち上げて凹部５２Ｂの後面に結合されると共に上壁１３Ｂに至り、第２の内後壁３５Ｂｂは、上壁１３Ｂから後壁１９Ｂ下端に至るように結合されている。したがって、底壁１１及び第１、第２の内後壁３５Ｂａ、３５Ｂｂ間、第２の内後壁３５Ｂｂと上壁１３Ｂ後部側及び後壁１９Ｂとの間に、それぞれ三角形閉断面状の空間部６３、６５が形成されている。
【００２３】
携帯端末用スタンド１Ｂを形成する厚紙は、図１２のようになっている。
【００２４】
図１２（Ａ）の凹部用の厚紙６７は、中央部に露出口９Ｂを備え、露出口９Ｂは、携帯端末２５の下端量側のスピーカーに合わせて２個の口部９Ｂｃ、９Ｂｄを備えている。厚紙６７には、接着用の結合代６７ａが両端に備えられている。
【００２５】
図１２（Ｂ）の本体用の厚紙６９は、基本形状が実施例２と同様である。実施例２の図８（Ａ）と比較すると、内底壁２７Ｂ、内上壁２９Ｂ、内側壁３１Ｂ、３３Ｂの形状が異なっている。
【００２６】
内底壁２７Ｂは、底壁１１Ｂに対して短く形成され、中間内側壁４９Ｂ、５１Ｂの形成範囲も、内側壁２７Ｂの長さに合わせている。この内的壁２７Ｂに、第１、第２の内後壁３５Ｂａ、３５Ｂｂが連続して形成されている。第１の内後壁３５Ｂａには、結合スリット３５Ｂａａが形成されている。
【００２７】
内上壁２９Ｂには、折返し接合部２９Ｂａが形成され、両側部に差込片２９Ｂｂが形成されている。
【００２８】
内側壁３１Ｂ、３３Ｂには、差込片３１Ｂａ、３３Ｂａ、切欠き部３１Ｂｂ、３３Ｂｂ、差込片３１Ｂｃ、３３Ｂｃ、折返しスペーサー部３１Ｂｄ、３３Ｂｄ、結合スリット３１Ｂｅ、３３Ｂｅが形成されている。
【００２９】
そして、凹部５２Ｂは、図１２（Ａ）の凹部用の厚紙６７を折り曲げて図１３のように上壁１３Ｂ下面に結合代６７ａを接着して形成する。この接着状態で、露出口９Ｂは、差込口７Ｂに位置的に対応する。
携帯端末用スタンド１Ｂの組み立ては、図１４（Ａ）〜図１４（Ｄ）の順に行う。
図１４（Ａ）の展開状態においても、組み立て状態での各壁に応じた符号を示している。
【００３０】
図１４の組み立ても、実施例２の図８の組み立てと同様であり、図１４（Ａ）〜（Ｃ）が、図８（Ａ）〜（Ｃ）にほぼ対応している。したがって、既に実施例２で説明した差込片等の差し込み動作の説明は省略する。
【００３１】
本実施例では、図１４（Ａ）の展開状態で凹部５２Ｂが既に形成されている。
【００３２】
図１４（Ａ）では、内底壁２７Ｂの折り返しと共に第１、第２の内後壁３５Ｂａ、３５Ｂｂを折り返す。
図１４（Ｂ）の段階では、実施例２同様に矢印Ｄ１のように後壁１９Ｂを立ち上げ、上壁１３Ｂ及び内上壁２９Ｂを底壁１１Ａ及び内底壁２７Ｂ上方に折り返す。同時に第１の内後壁３５Ｂａを凹部５２Ｂの後面に接合させ、第２の内後壁３５Ｂｂを後壁１９Ｂ下方へ落とし込む。
図１４（Ｃ）の状態から矢印Ｅのように内側壁３１Ｂ、３３Ｂを開口部２１Ｂ内に折り込み、図１４（Ｄ）の状態とする。このとき、折返しスペーサー部３１Ｂｄ、３３Ｂｄは、折り込み方向に折り曲げて置く。内側壁３１Ｂ、３３Ｂの折り込みにより、差込片３１Ｂａ、３３Ｂａを内底壁２７Ｂ両側の結合スリット２７Ｂａ（図１２）に差し込み結合させると共に、差込片３１Ｂｃ、３３Ｂｃを結合スリット３５Ｂａａ（図１２）に差し込み結合させる。内側壁３１Ｂ、３３Ｂの切欠き部３１Ｂｂ、３３Ｂｂは、凹部５２Ｂの前面及び下面に係合する。
内側壁３１Ｂ、３３Ｂの折り込みにより折返しスペーサー部３１Ｂｄ、３３Ｂｄは、側壁１５Ｂ、１７Ｂに当接し、内側壁３１Ｂ、３３Ｂと側壁１５Ｂ、１７Ｂとの間に空間部７１、７３（図１０）を形成する。
最後に、図１４（Ｄ）の状態から矢印Ｆのように内上壁２９Ｂを開口部２１Ｂ内に折り返し、折返し接合部２９Ｂａを凹部５２Ｂの前面に接合させると共に、差込片２９Ｂｂを結合スリット３１Ｂｅ、３３Ｂｅに差し込み結合させ、図１４（Ｅ）のように完成する。
したがって、本実施例でも、完成状態の携帯端末用スタンド１Ｂに対し、携帯端末２５を差込口７Ｂに着脱自在に差し込み、凹部５２Ｂにより簡単に立設支持させることができる。
この立設支持で、携帯端末２５のスピーカー部が露出口９Ｂの各口部９Ｂｃ、９Ｂｄに露出し、実施例２と同様の作用効果を奏することができる。
一方、本実施例では、空間部６１、６３、６５、７１、７３により、特有の音質を得ることができる。
［その他］
上記各実施例では、外筒３、３Ａ、３Ｂに差込口７、７Ａ、７Ｂを形成してスマート・フォン等の携帯端末２５を外筒３、３Ａ、３Ｂの幅内に支持する構成としたが、差込口７、７Ａの長さ方向の両側を外筒３、３Ａ、３Ｂの側壁１５、１７、１５Ａ、１７Ａ、１５Ｂ、１７Ｂにまで延設して側壁１５、１７、１５Ａ、１７Ａ、１５Ｂ、１７Ｂに差し込み深さ分の切り込みを入れれば、外筒３、３Ａ、３Ｂの幅外に渡る大きさの幅を備えたタブレット端末等も支持させることができる。
【００３３】
この場合、スピーカーとしての利用は、前記同様にタブレット端末等のスピーカー部を露出口９、９Ａ、９Ｂに臨ませることになる。
【符号の説明】
【００３４】
１、１Ａ  携帯端末用スタンド
３、３Ａ、３Ｂ  外筒
５、５Ａ、５Ｂ  内筒（内壁）
７、７Ａ、７Ｂ  差込口
２５  携帯端末
９、９Ａ、９Ｂ  露出口
【図１】
0003187549.tif 000003
【図２】
0003187549.tif 000004
【図３】
0003187549.tif 000005
【図４】
0003187549.tif 000006
【図５】
0003187549.tif 000007
【図６】
0003187549.tif 000008
【図７】
0003187549.tif 000009
【図８】
0003187549.tif 000010
【図９】
0003187549.tif 000011
【図１０】
0003187549.tif 000012
【図１１】
0003187549.tif 000013
【図１２】
0003187549.tif 000014
【図１３】
0003187549.tif 000015
【図１４】
0003187549.tif 000016
【手続補正書】
【提出日】平成25年10月2日(2013.10.2)
【手続補正１】
【補正対象書類名】実用新案登録請求の範囲
【補正対象項目名】全文
【補正方法】変更
【補正の内容】
【実用新案登録請求の範囲】
【請求項１】
略ホーン形状の外筒内に内壁を備え、内壁及び外筒間に閉断面構造の空間部を有した内外の二重壁構造とし、
前記外筒に設けられ携帯端末を差し込むための差込口と、
前記内壁側に設けられ前記差込口に差し込まれた携帯端末のスピーカー部を内壁内に露出させる露出口と、
を備えたことを特徴とする携帯端末用スタンド。
【請求項２】
請求項１記載の携帯端末用スタンドであって、
前記内壁は、前記外筒内に設けられたホーン形状の内筒で構成された、
ことを特徴とする携帯端末用スタンド。
【請求項３】
請求項１記載の携帯端末用スタンドであって、
前記二重壁構造は、所定形状にカットされた一枚の厚紙を折り曲げて形成した、
ことを特徴とする携帯端末用スタンド。